(57)【要約】【課題】  複数の表示部を含む電気光学装置において製造コストの増大や構成の煩雑化を抑制する。【解決手段】  電気光学装置Ｄは、複数の走査線３０１と複数のデータ線３２１との各交差に対応して画素Ｐが配列された第１表示部Ｄ1と、複数の走査線３０２と各々がデータ線３２１に導通する複数のデータ線３２２との各交差に対応して画素Ｐが配列された第２表示部Ｄ2とを有する。走査線駆動回路６１は、第１表示部Ｄ1の走査線３０１および第２表示部Ｄ2の走査線３０２を順次に選択して選択電圧ＶＳ（ＶＳＰまたはＶＳＮ）を印加する。電圧制御回路８は、第１表示部Ｄ1の走査線３０１が選択される第１選択期間Ｔaにて、電圧Ｖp-aおよび電圧Ｖn-aを選択電圧ＶＳとして走査線駆動回路６１に出力し、第２表示部Ｄ2の走査線３０２が選択される第２選択期間Ｔbにて、電圧Ｖp-bおよび電圧Ｖn-bを選択電圧ＶＳとして走査線駆動回路６１に出力する。【選択図】      図３
2006098812.tif 000002
【特許請求の範囲】
【請求項１】
複数の走査線と複数の第１データ線との各交差に対応して画素が配列された第１表示部と、
複数の走査線と各々が前記第１データ線に導通する複数の第２データ線との各交差に対応して画素が配列された第２表示部と、
前記第１表示部および前記第２表示部の各走査線を順次に選択して選択電圧を印加する走査線駆動回路と、
前記複数の第１データ線の各々に対し、前記走査線駆動回路が選択した走査線と当該第１データ線またはこれに導通する第２データ線との交差に対応する画素の階調に応じたデータ信号を供給するデータ線駆動回路と、
前記第１表示部の走査線が選択される第１選択期間において、第１電圧を選択電圧として前記走査線駆動回路に出力する一方、前記第２表示部の走査線が選択される第２選択期間において、前記第１電圧とは異なる第２電圧を選択電圧として前記走査線駆動回路に出力する電圧制御回路と
を具備する電気光学装置。
【請求項２】
前記走査線駆動回路は、基準電圧に対して正極性である選択電圧と前記基準電圧に対して負極性である選択電圧との何れかを走査線に印加し、
前記電圧制御回路は、前記第１選択期間においては前記基準電圧に対して正極性および負極性である第１電圧を生成し、前記第２選択期間においては前記基準電圧に対して正極性および負極性である第２電圧を生成する
請求項１に記載の電気光学装置。
【請求項３】
前記電圧制御回路は、
前記第１電圧および前記第２電圧を生成する電圧生成回路と、
前記第１選択期間においては前記電圧生成回路が生成した第１電圧を選択電圧として前記走査線駆動回路に出力する一方、前記第２選択期間においては第２電圧を選択電圧として前記走査線駆動回路に出力する切替回路と
を備える請求項１に記載の電気光学装置。
【請求項４】
前記電圧制御回路は、前記選択電圧を、前記第１選択期間において第１電圧に調整し、前記第２選択期間において第２電圧に調整する調整回路を備える
請求項１に記載の電気光学装置。
【請求項５】
電圧を保持する第１および第２の容量と、
前記第１選択期間において前記調整回路の出力端子を前記第１の容量に導通させ、前記第２選択期間において前記調整回路の出力端子を前記第２の容量に導通させるスイッチと
を具備する請求項４に記載の電気光学装置。
【請求項６】
前記走査線駆動回路は、前記第１選択期間と前記第２選択期間との間の非選択期間において走査線の選択を停止し、
前記電圧制御回路は、前記走査線駆動回路に出力する選択電圧を、前記非選択期間において第１電圧および第２電圧の一方から他方に変化させる
請求項１から請求項５の何れかに記載の電気光学装置。
【請求項７】
前記非選択期間の時間長は、前記走査線駆動回路に入力される選択電圧が変化し始めてから実際に変化後の電圧に到達するまでに要する時間長よりも長い
請求項６に記載の電気光学装置。
【請求項８】
前記第１表示部の画素の総数と前記第２表示部の画素の総数とは異なる
請求項１に記載の電気光学装置。
【請求項９】
前記第１表示部の各画素のサイズと前記第２表示部の各画素のサイズとは異なる
請求項１に記載の電気光学装置。
【請求項１０】
請求項１から請求項９の何れかに記載の電気光学装置を備えた電子機器。
【請求項１１】
複数の走査線と複数の第１データ線との各交差に対応して画素が配列された第１表示部と、
複数の走査線と複数の第２データ線との各交差に対応して画素が配列され、前記第１表示部よりもサイズが小さい第２表示部と、
前記第１表示部に配置され、前記第１表示部および前記第２表示部の各走査線を順次に選択して選択電圧を印加する走査線駆動回路と、
前記第１表示部に配置され、前記複数の第１データ線の各々に対し、前記走査線駆動回路が選択した走査線と当該第１データ線またはこれに導通する第２データ線との交差に対応する画素の階調に応じたデータ信号を供給するデータ線駆動回路と、
前記第１表示部と前記第２表示部とに接合され、前記第１表示部および前記第２表示部の一方が他方の背面側に位置するように折り曲げられた可撓性の配線基板であって、前記第１データ線と前記第２データ線とを導通させる配線と、前記第２表示部の各走査線と前記走査線駆動回路とを導通させる配線とを有する配線基板と、
前記第１表示部の走査線が選択される第１選択期間において、第１電圧を選択電圧として前記走査線駆動回路に出力する一方、前記第２表示部の走査線が選択される第２選択期間において、前記第１電圧とは異なる第２電圧を選択電圧として前記走査線駆動回路に出力する電圧制御回路と
を具備する電気光学装置。
【請求項１２】
複数の走査線と複数の第１データ線との各交差に対応して画素が配列された第１表示部と、複数の走査線と各々が前記第１データ線に導通する複数の第２データ線との各交差に対応して画素が配列された第２表示部と、前記第１表示部および前記第２表示部の各走査線を順次に選択して選択電圧を印加する走査線駆動回路と、前記複数の第１データ線の各々に対し、前記走査線駆動回路が選択した走査線と当該第１データ線またはこれに導通する第２データ線との交差に対応する画素の階調に応じたデータ信号を供給するデータ線駆動回路とを具備する電気光学装置を制御する方法であって、
ひとつの電圧制御回路が、前記第１表示部の走査線が選択される第１選択期間において、第１電圧を選択電圧として前記走査線駆動回路に出力する一方、前記第２表示部の走査線が選択される第２選択期間において、前記第１電圧とは異なる第２電圧を選択電圧として前記走査線駆動回路に出力する
電気光学装置の制御方法。
【発明の詳細な説明】
【技術分野】
【０００１】
本発明は、液晶などの電気光学物質を利用して種々の画像を表示する技術に関する。
【背景技術】
【０００２】
複数の表示部を備えた電気光学装置が各種の電子機器の表示機器として従来から提案されている（特許文献１参照）。各表示部は、複数の走査線と複数のデータ線との各交差に配置された画素を具備する。この構成のもと、何れかの走査線に供給される走査信号が選択電圧（アクティブレベル）とされている期間に、画素の階調に応じたデータ信号が各データ線に供給されることによって所望の画像が表示される。
【特許文献１】特開２００３−１７７６８４号公報
【発明の開示】
【発明が解決しようとする課題】
【０００３】
ところで、この種の電気光学装置においては、画素の総数や各画素のサイズなど各種の特性が表示部ごとに相違するため、各画素の最適な駆動のために当該画素の電気光学物質に印加されるべき電圧は表示部ごとに異なる。したがって、走査信号やデータ信号の電圧を生成する電圧生成回路は表示部ごとに独立に配置されるのが一般的である。例えば、画素を制御するためのスイッチング素子としてＴＦＤ（Thin Film Diode）素子を利用した電気光学装置やパッシブマトリクス方式の電気光学装置のように、走査線に印加される選択電圧が直接的に電気光学物質に印加される構成のもとでは、各表示部の特性に合った選択電圧を生成する電圧生成回路が表示部ごとに独立して配置される。しかしながら、このように表示部ごとに回路を設けた場合には、部品点数の増加に伴なう製造コストの増大や電気光学装置の構成の煩雑化を招くという問題がある。本発明は、このような事情に鑑みてなされたものであり、その目的は、複数の表示部を備えた電気光学装置において製造コストの増大や構成の煩雑化を抑制することにある。
【課題を解決するための手段】
【０００４】
この目的を達成するために、本発明に係る電気光学装置は、複数の走査線と複数の第１データ線との各交差に対応して画素が配列された第１表示部と、複数の走査線と各々が第１データ線に導通する複数の第２データ線との各交差に対応して画素が配列された第２表示部と、第１表示部および第２表示部の各走査線を順次に選択して選択電圧を印加する走査線駆動回路と、複数の第１データ線の各々に対し、走査線駆動回路が選択した走査線と当該第１データ線またはこれに導通する第２データ線との交差に対応する画素の階調に応じたデータ信号を供給するデータ線駆動回路と、第１表示部の走査線が選択される第１選択期間において、第１電圧を選択電圧として走査線駆動回路に出力する一方、第２表示部の走査線が選択される第２選択期間において、第１電圧とは異なる第２電圧を選択電圧として走査線駆動回路に出力する電圧制御回路とを具備する。この電気光学装置は、例えば携帯電話機など各種の電子機器の表示装置として採用される。
本発明の電気光学装置によれば、第１表示部の走査線が選択される第１選択期間においては第１電圧が選択電圧として走査線駆動回路に出力され、第２表示部の走査線が選択される第２選択期間においては第１電圧とは異なる第２電圧が選択電圧として走査線駆動回路に出力される。すなわち、第１電圧と第２電圧とが時分割的に出力される。したがって、第１表示部と第２表示部とで電圧制御回路を共用することができるから、選択電圧を生成するための回路を第１表示部および第２表示部の各々について独立に配置した構成と比較して、部品点数の低減や構成の簡素化が図られる。
【０００５】
本発明においては、第１表示部および第２表示部の画素の総数や各画素のサイズ（例えば面積）が相違する構成が採用される。この構成においては、第１表示部の各走査線に印加されるべき最適な選択電圧と第２表示部の各走査線に印加されるべき最適な選択電圧とは相違し得る。本発明によれば、第１表示部の各走査線に選択電圧として印加される第１電圧と第２表示部の各走査線に選択電圧として印加される第２電圧とが時分割にて電圧制御回路から出力されるから、第１表示部および第２表示部の画素の総数や各画素のサイズが互いに相違する構成のもとで特に顕著な効果を奏する。
【０００６】
本発明の望ましい態様において、走査線駆動回路は、基準電圧に対して正極性である選択電圧と基準電圧に対して負極性である選択電圧との何れかを走査線に印加し、電圧制御回路は、第１選択期間においては基準電圧に対して正極性および負極性である第１電圧を生成し、第２選択期間においては基準電圧に対して正極性および負極性である第２電圧を生成する。この態様によれば、選択電圧が正極性と負極性とで交互に切り替えられるから、例えば直流成分の印加によって特性の劣化が引き起こされる液晶などの電気光学物質を利用した電気光学装置において、電気光学物質の劣化が抑制される。もっとも、本発明の電気光学装置において利用される電気光学物質は液晶に限定されない。
【０００７】
本発明の他の態様において、電圧制御回路は、第１電圧および第２電圧を生成する電圧生成回路と、第１選択期間においては電圧生成回路が生成した第１電圧を選択電圧として走査線駆動回路に出力する一方、第２選択期間においては第２電圧を選択電圧として走査線駆動回路に出力する切替回路とを備える。この態様によれば、電圧生成回路によって生成された第１電圧および第２電圧の何れかが切替回路によって選択電圧として走査線駆動回路に出力されるから、例えば、選択電圧を第１電圧または第２電圧の一方から他方に変化させる構成と比較して、電圧制御回路の構成の簡素化が図られる。
【０００８】
もっとも、電圧制御回路が、第１電圧および第２電圧を時分割的に生成する構成としてもよい。すなわち、この構成における電圧制御回路は、選択電圧を、第１選択期間において第１電圧に調整し、第２選択期間において第２電圧に調整する調整回路を備える。この種の調整回路としては、例えば外部からの指示値に応じた電圧を出力する電子ボリュームが採用される。さらに、この態様においては、電圧を保持する第１および第２の容量（図１１のコンデンサ８６ａおよび８６ｂに相当する）と、第１選択期間において調整回路の出力端子を第１の容量に導通させ、第２選択期間において調整回路の出力端子を第２の容量に導通させるスイッチ（図１１のスイッチ８７に相当する）とが設けられる。この構成によれば、第１選択期間および第２選択期間の双方において選択電圧を所期の電圧（第１電圧または第２電圧）に維持することができる。
【０００９】
本発明の望ましい態様において、走査線駆動回路は、第１選択期間と第２選択期間との間の非選択期間において走査線の選択を停止し、電圧制御回路は、走査線駆動回路に出力する選択電圧を、非選択期間において第１電圧および第２電圧の一方から他方に変化させる。この構成によれば、選択電圧が第１電圧および第２電圧の一方から他方に徐々に変動するような構成のもとでも、その変動の途中にある選択電圧が各走査線に印加されるという事態は抑制される。より望ましくは、非選択期間の時間長は、走査線駆動回路に入力される選択電圧が変化し始めてから実際に変化後の電圧に到達するまでに要する時間長よりも長い。この態様によれば、第１選択期間の全区間にわたって確実に選択電圧を第１電圧に維持し、第２選択期間の全区間にわたって確実に選択電圧を第２電圧に維持することができるから、選択電圧の変動に起因した表示品位の低下といった不具合は確実に防止される。
【００１０】
さらに具体的な態様に係る電気光学装置は、複数の走査線と複数の第１データ線との各交差に対応して画素が配列された第１表示部と、複数の走査線と複数の第２データ線との各交差に対応して画素が配列され、第１表示部よりもサイズが小さい（例えば縦方向および横方向の少なくとも一方における外形の寸法が第１表示部よりも小さい）第２表示部と、第１表示部に配置され、第１表示部および第２表示部の各走査線を順次に選択して選択電圧を印加する走査線駆動回路と、第１表示部に配置され、複数の第１データ線の各々に対し、走査線駆動回路が選択した走査線と当該第１データ線またはこれに導通する第２データ線との交差に対応する画素の階調に応じたデータ信号を供給するデータ線駆動回路と、第１表示部と第２表示部とに接合され、第１表示部および第２表示部の一方が他方の背面側に位置するように折り曲げられた可撓性の配線基板であって、第１データ線と第２データ線とを導通させる配線（図４に示される配線５４３に相当する）と、第２表示部の各走査線と走査線駆動回路とを導通させる配線（図４に示される配線５４１および配線５４２に相当する）とを有する配線基板と、第１表示部の走査線が選択される第１選択期間において、第１電圧を選択電圧として走査線駆動回路に出力する一方、第２表示部の走査線が選択される第２選択期間において、第１電圧とは異なる第２電圧を選択電圧として走査線駆動回路に出力する電圧制御回路とを具備する。
この態様において、第１表示部および第２表示部の一方が他方の背面側に位置するように配線基板が折り曲げられる。なお、電圧制御回路が配置される位置は任意である。より具体的には、電圧制御回路は、走査線駆動回路やデータ線駆動回路と同様に第１表示部に配置されてもよいし、第１表示部に接合された配線基板（図４に示されるＦＰＣ４５）に配置されてもよいし、第２表示部に配置されてもよい。
【００１１】
本発明は、電気光学装置を制御するための方法としても特定される。すなわち、この方法は、複数の走査線と複数の第１データ線との各交差に対応して画素が配列された第１表示部と、複数の走査線と各々が第１データ線に導通する複数の第２データ線との各交差に対応して画素が配列された第２表示部と、第１表示部および第２表示部の各走査線を順次に選択して選択電圧を印加する走査線駆動回路と、複数の第１データ線の各々に対し、走査線駆動回路が選択した走査線と当該第１データ線またはこれに導通する第２データ線との交差に対応する画素の階調に応じたデータ信号を供給するデータ線駆動回路とを具備する電気光学装置を制御する方法であって、ひとつの電圧制御回路が、第１表示部の走査線が選択される第１選択期間において、第１電圧を選択電圧として走査線駆動回路に出力する一方、第２表示部の走査線が選択される第２選択期間において、第１電圧とは異なる第２電圧を選択電圧として走査線駆動回路に出力することを特徴とする。この方法によっても、本発明に係る電気光学装置について上述したのと同様の作用および効果が奏される。
【発明を実施するための最良の形態】
【００１２】
＜Ａ：電子機器の構成＞
図１は、本発明の実施形態に係る電気光学装置を採用した電子機器の構成を示す斜視図である。同図に示されるように、この電子機器１００は、第１の筐体１１０と第２の筐体１２０とを有する折畳式の携帯電話機である。第１の筐体１１０と第２の筐体１２０とは各々の縁端部にてヒンジ１３０を介して連結される。利用者は、図１に示されるように第１の筐体１１０が第２の筐体１２０に対して約１８０度に開かれた状態から、ヒンジ１３０を軸として第１の筐体１１０を第２の筐体１２０側に（あるいは第２の筐体１２０を第１の筐体１１０側に）回転させることにより、図２に示されるように第１の筐体１１０と第２の筐体１２０とが互いに対向する状態（以下「閉状態」という）となるように電子機器１００を折り畳むことができる。
【００１３】
第２の筐体１２０のうち閉状態にて第１の筐体１１０と対向する面には、利用者によって操作される複数の操作子１２１と、利用者が音声を入力するためのマイクロホン１２２とが配置される。一方、第１の筐体１１０には、無線通信を行なうためのアンテナ１１３や音声を出力するスピーカ１１４が配置されるほか、本実施形態に係る電気光学装置が収容される。この電気光学装置は、第１表示部Ｄ1と第２表示部Ｄ2とを有する。第１表示部Ｄ1および第２表示部Ｄ2の各々は種々の画像を表示するための表示パネルである。第１の筐体１１０のうち閉状態において第２の筐体１２０と対向する面には開口部１１１が形成される。図１に示されるように、第１表示部Ｄ1は、その表示面が開口部１１１の内側に位置するように配置される。一方、第１の筐体１１０のうち開口部１１１とは反対側の面には、図２に示されるように開口部１１２が形成される。図２に示されるように、第２表示部Ｄ2は、その表示面が開口部１１２の内側に位置するように配置される。利用者は、開口部１１１を介して第１表示部Ｄ1による表示画像を視認するとともに、開口部１１２を介して第２表示部Ｄ2による表示画像を視認することができる。
【００１４】
＜Ｂ：電気光学装置の構成＞
次に、図３は、本実施形態に係る電気光学装置Ｄの電気的な構成を示すブロック図である。同図に示されるように、第１表示部Ｄ1は、Ｘ方向（行方向）に延在する合計ｍa本の走査線３０１と、Ｘ方向と直交するＹ方向（列方向）に延在する合計ｎa本のデータ線３２１との各交差に対応して配置された画素Ｐを有する（ｍaおよびｎaは２以上の自然数）。同様に、第２表示部Ｄ2は、Ｘ方向に延在する合計ｍb本の走査線３０２と、Ｙ方向に延在する合計ｎb本のデータ線３２２との各交差に対応して配置された画素Ｐを有する（ｍbおよびｎbは２以上の自然数）。第１表示部Ｄ1の画素Ｐの総数（ｍa×ｎa）や各画素Ｐのサイズ（後述する画素電極３４１のＸ方向またはＹ方向における長さ）と、第２表示部Ｄ2の画素Ｐの総数（ｍb×ｎb）や各画素Ｐのサイズ（後述する画素電極３４２のＸ方向またはＹ方向における長さ）とは互いに相違する。
【００１５】
第２表示部Ｄ2の各データ線３２２は第１表示部Ｄ1のデータ線３２１に対して電気的に接続されている。さらに詳述すると、第１表示部Ｄ1のｎa本のデータ線３２のなかから選択された合計ｎb本のデータ線（以下では特に「共用データ線」と表記する場合がある）３２１と第２表示部Ｄ2の合計ｎb本のデータ線３２２とがそれぞれ導通する。換言すると、第１表示部Ｄ1の共用データ線３２１と第２表示部Ｄ2のデータ線３２２とを各々が含む合計ｎb本の配線が第１表示部Ｄ1および第２表示部Ｄ2の制御のために兼用される。なお、以下では、走査線３０１と走査線３０２とを特に区別する必要がない場合には単に「走査線３０」と表記し、データ線３２１とデータ線３２２とを特に区別する必要がない場合には単に「データ線３２」と表記する。
【００１６】
図３に示される駆動回路６は、各画素Ｐを駆動するための回路であり、走査線駆動回路６１とデータ線駆動回路６３とを含む。各走査線３０１および各走査線３０２は走査線駆動回路６１に接続される。この走査線駆動回路６１は、合計（ｍa＋ｍb）本の走査線３０を順番に選択するための回路である。一方、データ線駆動回路６３には、第１表示部Ｄ1の各データ線３２１が接続されている。したがって、第２表示部Ｄ2の各データ線３２２は各々に対応する共用データ線３２１を介してデータ線駆動回路６３と電気的に接続される。このデータ線駆動回路６３は、各画素Ｐの階調（表示内容）に応じたデータ信号Ｘを各データ線３２１に出力する回路である。一方、図３に示される電圧制御回路８は、走査線駆動回路６１やデータ線駆動回路６３が各画素Ｐを駆動するために用いる複数の電圧を生成する回路である。また、制御回路７は、駆動回路６や電圧制御回路８を制御するための回路である。なお、これらの回路の具体的な動作や構成については後述する。
【００１７】
次に、電気光学装置Ｄの機械的な構成を説明する。図４は、電気光学装置Ｄの構成を示す平面図であり、図５は、図４におけるＶ−Ｖ線からみた断面図である。これらの図に示されるように、第１表示部Ｄ1は、略長方形の枠状に成形されたシール材４２１を介して相互に対向するように貼り合わされた第１基板１１と第２基板２１とを有する。これらの基板とシール材４２１とによって囲まれた領域には液晶４０１が封止されている。第２表示部Ｄ2の構成は、第１表示部Ｄ1と同様である。すなわち、第２表示部Ｄ2は、シール材４２２を介して対向する第１基板１２と第２基板２２との間隙に液晶４０２が封止された構成となっている。第１表示部Ｄ1および第２表示部Ｄ2の各々の背面側にはいわゆる透過型表示のためのバックライトユニット（図示略）が配設される。なお、図４においては、便宜的にシール材４２１および４２２にハッチングが施されている。
【００１８】
図６は、第１表示部Ｄ1を部分的に拡大して示す斜視図である。図４から図６に示されるように、各データ線３２１は第２基板２１のうち液晶４０１と対向する表面に形成される。さらに、第２基板２１の表面には略矩形状の画素電極３４１がマトリクス状に形成されており、同じく第２基板２１の表面に形成されたＴＦＤ素子３６を介してデータ線３２１に接続されている。各ＴＦＤ素子３６は、画素電極３４１に印加される電圧を制御するための二端子型の非線形素子であり、図６に示されるように、データ線３２１から分岐した部分である第１導電体３６１と、第１導電体３６１の表面を陽極酸化することによって形成された絶縁体３６２と、画素電極３４１に接続された第２導電体３６３とが第２基板２１側からみてこの順番に積層された構成となっている。一方、走査線３０１は第１基板１１のうち液晶４０１と対向する表面に形成されている。各走査線３０１は、第２基板２１の表面にてＸ方向に並ぶ複数（合計ｎa個）の画素電極３４１に対向する帯状の電極である。図３に示した第１表示部Ｄ1の各画素Ｐは、各走査線３０１とこれに対向する画素電極３４１と両者の間隙に介在する液晶４０１とからなる。
【００１９】
一方、第２表示部Ｄ2も第１表示部Ｄ1と同様の構成である。すなわち、図４および図５に示されるように、第２表示部Ｄ2の第２基板２２には、上述したデータ線３２２と、各データ線３２２の間隙に配列された画素電極３４２と、各画素電極３４２をこれに隣接するデータ線３２２に接続するＴＦＤ素子（図示略）とが形成される。また、第２表示部Ｄ2の第１基板１２には、Ｘ方向に並ぶ複数（合計ｎb個）の画素電極３４２と対向するように走査線３０２が形成される。したがって、図３に示した第２表示部Ｄ2の各画素Ｐは、各走査線３０２とこれに対向する画素電極３４２と両者の間隙に介在する液晶４０２とからなる。
【００２０】
図４および図５に示されるように、第１表示部Ｄ1の第２基板２１は第１基板１１よりも外形の寸法が大きい。この第２基板２１のうち第１基板１１の周縁からＹ方向の正側に張り出した領域（以下「張出部」という）Ａ1には、図３に示した駆動回路６を搭載したＩＣチップがＣＯＧ（Chip On Glass）技術によって実装されている。この駆動回路６の入力端子（すなわち走査線駆動回路６１の入力端子およびデータ線駆動回路６３の入力端子）は、第２基板２１の周縁に沿ってＸ方向に配列された複数の外部接続端子５０に電気的に接続される。これらの外部接続端子５０は、ＦＰＣ（Flexible Printed Circuit）４５の配線に接続される。このＦＰＣ４５は、電気光学装置Ｄを外部の機器（例えば電気光学装置Ｄが搭載される電子機器１００のＣＰＵ）と電気的に接続するための配線基板であって可撓性を有する。図４および図５に示されるように、図３に示した制御回路７および電圧制御回路８はＦＰＣ４５に実装され、このＦＰＣ４５の配線（図示略）と外部接続端子５０とを介して駆動回路６と導通する。
【００２１】
図４に示されるように、第１表示部Ｄ1の各データ線３２１のうち張出部Ａ1に到達するように引き出された端部は、駆動回路６のうちデータ線駆動回路６３の出力端子に接続される。一方、駆動回路６に搭載された走査線駆動回路６１の出力端子は、第２基板２１上に形成された配線５１１または配線５１２とシール材４２１に分散された導電性粒子（図示略）とを介して、第１基板１１上の走査線３０１に電気的に接続される。各配線５１１および各配線５１２は、シール材４２１と重なり合う端部Ｅ1からシール材４２１の内側の領域においてＹ方向に延在して張出部Ａ1に至る。ここで、走査線駆動回路６１は、図３に示したように、走査信号ＹＡ1、ＹＡ2、……、ＹＡmaを各走査線３０１に出力する合計ｍa個の出力端子を有する。これらの出力端子のうち奇数番目の各出力端子は配線５１１を介して奇数行目の走査線３０１に接続され、偶数番目の各出力端子は配線５１２を介して偶数行目の走査線３０１に接続される。
【００２２】
また、走査線駆動回路６１は、走査信号ＹＢ1、ＹＢ2、……、ＹＢmbを出力する合計ｍb個の出力端子を有する。これらの出力端子のうち奇数番目の各出力端子は配線５２１に接続され、偶数番目の各出力端子は配線５２２に接続される。配線５２１および配線５２２は、第２基板２１のうちＹ方向に延在する各周縁に沿ってＹ方向に延在する。これらの配線５２１および配線５２２と各共用データ線３２１とは、第２基板２１のうち第１基板１１の周縁からＹ方向の負側に張り出した領域（以下「張出部」という）Ａ2に至るようにＹ方向に延在する。
【００２３】
第２表示部Ｄ2における各配線の構成は第１表示部Ｄ1と同様である。すなわち、第２表示部Ｄ2の第２基板２２には、シール材４２２と重なり合う端部Ｅ2からＹ方向に延在する複数の配線５３１および複数の配線５３２が形成されている。このうち各配線５３１の端部Ｅ2は、シール材４２２に分散された導電性粒子を介して奇数行目の走査線３０２と導通する。同様に、各配線５３２の端部Ｅ2は、シール材４２２に分散された導電性粒子を介して偶数行目の走査線３０２と導通する。配線５３１および配線５３２の他方の端部とデータ線３２２の端部とは、第２基板２２のうち第１基板１２の周縁から張り出した領域（以下「張出部」という）Ａ3に至る。
【００２４】
図４および図５に示されるように、第１表示部Ｄ1と第２表示部Ｄ2とはＦＰＣ４７を介して機械的および電気的に接続される。このＦＰＣ４７は、可撓性を有する配線基板である。ＦＰＣ４７の一方の周縁（図４における下方の周縁）は第１表示部Ｄ1の張出部Ａ2に接合され、他方の周縁（図４における上方の周縁）は第２表示部Ｄ2の張出部Ａ3に接合される。なお、電気光学装置Ｄが電子機器１００に搭載される場合には、図１および図２に示されるように、第１表示部Ｄ1の表示面と第２表示部Ｄ2の表示面とが互いに反対を向くように（すなわち第１表示部Ｄ1および第２表示部Ｄ2の一方が他方の背面側に位置するように）ＦＰＣ４７が折り曲げられるが、図４および図５においてはＦＰＣ４７が折り曲げられていない状態が図示されている。この構成のもと、第１表示部Ｄ1の各配線５２１と第２表示部Ｄ2の各配線５３１とはＦＰＣ４７の各配線５４１を介して電気的に接続され、第１表示部Ｄ1の各配線５２２と第２表示部Ｄ2の各配線５３２とはＦＰＣ４７の配線５４２を介して電気的に接続される。したがって、第２表示部Ｄ2の奇数行目の走査線３０２は、配線５３１と配線５４１と配線５２１とを介して走査線駆動回路６１の出力端子に導通し、第２表示部Ｄ2の偶数行目の走査線３０２は、配線５３２と配線５４２と配線５２２とを介して走査線駆動回路６１の出力端子に導通する。また、第１表示部Ｄ1の各共用データ線３２１と第２表示部Ｄ2の各データ線３２２とはＦＰＣ４７の各配線５４３を介して電気的に接続される。したがって、各データ線３２２は、配線５４３と共用データ線３２１とを介してデータ線駆動回路６３の出力端子に導通する。以上が電気光学装置Ｄの構造である。
【００２５】
次に、図３に示した各回路の具体的な構成や動作について説明する。同図に示されるように、走査線駆動回路６１は、配線５７１ないし配線５７４を介して電圧制御回路８に接続されている。この走査線駆動回路６１は、各走査線３０１に対して走査信号ＹＡ1、ＹＡ2、……、ＹＡmaを供給するとともに各走査線３０２に対して走査信号ＹＢ1、ＹＢ2、……、ＹＢmbを出力することにより、各走査線３０１および各走査線３０２を予め定められた順番に選択する回路である。より具体的には、合計（ｍa＋ｍb）本の走査線３０のうち何れかを水平走査期間（１Ｈ）ごとに順次に選択し、この選択した走査線３０には、配線５７１に印加されている正極性選択電圧ＶＳＰまたは配線５７４に印加されている負極性選択電圧ＶＳＮを印加し、それ以外の走査線３０には、配線５７２に印加されている正極性非選択電圧ＶＨＰまたは配線５７３に印加されている負極性非選択電圧ＶＨＮを印加する。
【００２６】
一方、データ線駆動回路６３は、走査線駆動回路６１が選択している走査線３０（走査線３０１または走査線３０２）に対応した１行分の各画素Ｐの階調に応じたデータ信号Ｘを各データ線３２１に（さらに各共用データ線３２１を介して第２表示部Ｄ2の各データ線３２２に）供給するための回路である。本実施形態におけるデータ線駆動回路６３は、第１表示部Ｄ1の何れかの走査線３０１が選択されている場合には、合計ｎa本のデータ線３２１の各々に対してデータ信号Ｘを出力する一方、第２表示部Ｄ2の何れかの走査線３０２が選択されている場合には、合計ｎb本の共用データ線３２１の各々を介して、データ信号Ｘを第２表示部Ｄ2の各データ線３２２に供給する。各画素Ｐに供給されるデータ信号Ｘは、その画素Ｐに対応した走査線３０が選択される水平走査期間のうち、当該画素Ｐの階調に応じた時間長にわたって電圧ＶＤＰおよび電圧ＶＤＮの一方の電圧となり、その残余の期間にて他方の電圧となる信号である。すなわち、本実施形態におけるデータ信号Ｘは、画素Ｐの階調に応じてパルス幅が選定された信号となる（すなわち各画素Ｐはパルス幅変調により階調を表示する）。
【００２７】
電圧制御回路８は、制御回路７による制御のもとに、正極性選択電圧ＶＳＰおよび負極性選択電圧ＶＳＮと正極性非選択電圧ＶＨＰおよび負極性非選択電圧ＶＨＮとを生成する回路である。正極性選択電圧ＶＳＰおよび負極性選択電圧ＶＳＮ（特に区別する必要がない場合には「選択電圧ＶＳ」と表記する）は、データ線３２に印加される電圧に拘わらずＴＦＤ素子３６をオン状態とする電圧値（Ｖp-a、Ｖn-b、Ｖp-bまたはＶn-b）に設定される。一方、正極性非選択電圧ＶＨＰおよび負極性非選択電圧ＶＨＮは、データ線３２に印加される電圧に拘わらずＴＦＤ素子３６をオフ状態にする電圧値に設定される。また、正極性非選択電圧ＶＨＰおよび負極性非選択電圧ＶＨＮはそれぞれデータ信号Ｘの電圧ＶＤＰおよび電圧ＶＤＮとしても兼用される。負極性非選択電圧ＶＨＮおよびデータ信号Ｘの電圧ＶＤＮは電源の低位側電位（ＧＮＤ）である。正極性選択電圧ＶＳＰと負極性選択電圧ＶＳＮとは、負極性非選択電圧ＶＨＮと正極性非選択電圧ＶＨＰとの中間の電位（以下「基準電位」という）を基準として互いに逆極性の電圧であって絶対値が等しい。
【００２８】
図３に示されるように、電圧制御回路８は、画素Ｐの駆動に利用される複数の電圧を生成する電圧生成回路８１と、この電圧生成回路８１が生成した電圧を選択して走査線駆動回路６１に出力する切替回路８３とを有する。電圧生成回路８１は、電圧Ｖp-aおよび電圧Ｖp-bと、正極性非選択電圧ＶＨＰおよび負極性非選択電圧ＶＨＮと、電圧Ｖn-aおよび電圧Ｖn-bとを生成する。このうち電圧Ｖp-aおよび電圧Ｖp-bは、正極性選択電圧ＶＳＰとして採択される電圧である。上述したように第１表示部Ｄ1と第２表示部Ｄ2とは画素Ｐの総数や各画素Ｐのサイズが相違するため、走査線３０に印加されるべき最適な選択電圧ＶＳは第１表示部Ｄ1と第２表示部Ｄ2とで相違する。そこで、本実施形態においては、電圧Ｖp-aが、第１表示部Ｄ1の各走査線３０１を選択するための正極性選択電圧ＶＳＰとして最適な電圧値に設定されており、電圧Ｖp-bが、第２表示部Ｄ2の各走査線３０２を選択するための正極性選択電圧ＶＳＰとして最適な電圧値に設定されている。一方、電圧Ｖn-aおよび電圧Ｖn-bは、負極性選択電圧ＶＳＰとして採択される電圧である。正極性選択電圧ＶＳＰについて上述したのと同様の理由により、電圧Ｖn-aは、第１表示部Ｄ1の各走査線３０１を選択するための負極性選択電圧ＶＳＮとして最適な電圧値に設定されており、電圧Ｖn-bは、第２表示部Ｄ2の各走査線３０２を選択するための負極性選択電圧ＶＳＮとして最適な電圧値に設定されている。したがって、電圧Ｖp-aと電圧Ｖn-a、および、電圧Ｖp-bと電圧Ｖn-bは、基準電位に対して互いに逆極性の電圧であって絶対値が等しい。さらに、電圧Ｖp-aおよび電圧Ｖn-aは、電圧Ｖp-bおよび電圧Ｖn-bよりも絶対値が大きい。
【００２９】
一方、電圧制御回路８の切替回路８３は、電圧Ｖp-aおよび電圧Ｖp-bの何れかを選択するスイッチ８３１ａと、電圧Ｖn-aおよび電圧Ｖn-bの何れかを選択するスイッチ８３１ｂとを有する。これらのスイッチ８３１（８３１ａおよび８３１ｂ）の開閉は、制御回路７から供給される電圧制御信号Ｓvに応じて制御される。なお、電圧生成回路８１によって生成された正極性非選択電圧ＶＨＰおよび負極性非選択電圧ＶＨＮは、そのまま走査線駆動回路６１に出力されるとともにデータ信号Ｘの電圧としてデータ線駆動回路６３に供給される。
【００３０】
次に、制御回路７によって生成される信号の内容に言及しながら、電圧制御回路８や走査線駆動回路６１の構成や動作を説明する。まず、スタートパルスＤＹは、図７に示されるように、各垂直走査期間（１Ｆ）の最初に出力されるパルス信号である。本実施形態においては、第１表示部Ｄ1および第２表示部Ｄ2の総ての走査線３０の各々が１回ずつ走査される期間を１垂直走査期間と定義する。すなわち、図７に示されるように、本実施形態における１垂直走査期間（１Ｆ）は、第１表示部Ｄ1の総ての走査線３０１の各々が１回ずつ選択される期間（以下「第１選択期間」という）Ｔaと、第２表示部Ｄ2の総ての走査線３０２の各々が１回ずつ選択される期間（以下「第２選択期間」という）Ｔbとを含む。さらに、第１選択期間Ｔaと第２選択期間Ｔbとの間には、第１表示部Ｄ1および第２表示部Ｄ2の何れの走査線３０も選択されない所定の時間長の期間（以下「非選択期間」という）Ｔcが介挿される。すなわち、図７に示されるように、本実施形態における各垂直走査期間は、第２選択期間Ｔbと、その直後の非選択期間Ｔcと、第１選択期間Ｔaと、その直後の非選択期間Ｔcとがこの順番に配列された期間として把握される。
【００３１】
電圧制御信号Ｓvは、第１表示部Ｄ1および第２表示部Ｄ2の何れが走査されているのかを示す信号であり、第１選択期間ＴaにおいてＨレベルを維持するとともに第２選択期間ＴbにおいてＬレベルを維持する。この電圧制御信号Ｓvは、第１選択期間Ｔaおよび第２選択期間Ｔbの各々の終点にてレベルが遷移する。したがって、電圧制御信号Ｓvは、図７に示されるように、第１選択期間Ｔaとその直前の非選択期間ＴcとにおいてＨレベルを維持し、第２選択期間Ｔbとその直前の非選択期間ＴcとにおいてＬレベルを維持する。
【００３２】
ここで、電圧制御回路８のうち切替回路８３の動作を説明する。図３に示されるように、切替回路８３は、電圧制御信号ＳvがＨレベルを維持している場合には、電圧生成回路８１における電圧Ｖp-aの出力端子を配線５７１に接続するとともに、電圧Ｖn-aの出力端子を配線５７４に接続する。一方、切替回路８３は、電圧制御信号ＳvがＬレベルを維持している場合には、電圧生成回路８１における電圧Ｖp-bの出力端子を配線５７１に接続するとともに、電圧Ｖn-bの出力端子を配線５７４に接続する。したがって、図７に示されるように、第１選択期間Ｔaにおいては、電圧Ｖp-aが正側選択電圧ＶＳＰとして配線５７１から走査線駆動回路６１に供給されるとともに、電圧Ｖn-aが負側選択電圧ＶＳＮとして配線５７４から走査線駆動回路６１に供給される。これに対し、第２選択期間Ｔbにおいては、電圧Ｖp-bが正側選択電圧ＶＳＰとして走査線駆動回路６１に供給されるとともに、電圧Ｖn-bが負側選択電圧ＶＳＮとして走査線駆動回路６１に供給される。
【００３３】
ところで、配線５７１や配線５７４には容量や抵抗が付随しているから、実際の配線５７１や配線５７４の電圧は切替回路８３のスイッチ８３１を切り替えた瞬間に変更後の電圧に到達するわけではない。すなわち、図７に示されるように、配線５７１に印加される正極性側選択電圧ＶＳＰや配線５７２に印加される負極性選択電圧ＶＳＮは、スイッチ８３１が切り替えられたタイミング（つまり電圧制御信号Ｓvのレベルが遷移したタイミング）から経時的に徐々に変化して変更後の電圧に到達する。したがって、配線５７１や配線５７４の電圧が完全に変化し終える前に各走査線３０の選択が開始されるとすれば、各走査線３０に対して所期の選択電圧ＶＳが印加されないという問題が生じ得る。そこで、第１選択期間Ｔaと第２選択期間Ｔbとの間に介挿された非選択期間Ｔcは、切替回路８３のスイッチ８３１が切り替えられてから配線５７１や配線５７４の電圧が所期の電圧に到達するまでに要する時間長Ｄよりも長い期間に設定されている。すなわち、正極性選択電圧ＶＳＰおよび負極性選択電圧ＶＳＮは非選択期間Ｔc内にて変動させられる。この構成によれば、正極性選択電圧ＶＳＰおよび負極性選択電圧ＶＳＰを、第１選択期間Ｔaの始点から確実に電圧Ｖp-aおよび電圧Ｖn-aとすることができ、第２選択期間Ｔbの始点から確実に電圧Ｖp-bおよび電圧Ｖn-bとすることができる。したがって、選択電圧ＶＳの変動に起因した表示品位の低下が防止される。
【００３４】
次に、制御回路７が生成する信号のうち特に垂直走査に関する信号について説明する。第１に、シフトクロック信号ＹＣＫは、垂直走査の基準となるクロック信号であり、図７に示されるように、１水平走査期間（１Ｈ）に相当する周期を有する。第２に、極性指示信号ＰＯＬは、選択された走査線３０に印加されるべき選択電圧ＶＳの極性を指示する信号である。より具体的には、極性指示信号ＰＯＬがＨレベルであれば正極性選択電圧ＶＳＰが各走査線３０に印加され、極性指示信号ＰＯＬがＬレベルであれば負極性選択電圧ＶＳＮが各走査線３０に印加される。この極性指示信号ＰＯＬは、図７に示されるように、ひとつの垂直走査期間では時間軸上において前後する水平走査期間ごとに論理レベルが反転し、かつ、時間軸上において前後する垂直走査期間の各々のうち同一の走査線３０が選択される水平走査期間においては論理レベルが逆転する。第３に、制御信号ＩＮＨは、各水平走査期間のうち各走査線３０に選択電圧ＶＳが印加される期間を規定するための信号である。後述するように、本実施形態においては、各水平走査期間を時間軸上において２等分した前半期間および後半期間のうち後半期間（図７にて「１／２」と表記された期間）において各走査線３０に選択電圧が印加される。このため、制御信号ＩＮＨは各水平走査期間における後半期間にＨレベルとなる。
【００３５】
次に、これらの信号の内容を踏まえて、図８を参照しながら走査線駆動回路６１の具体的な構成を説明する。同図に示されるように、走査線駆動回路６１は、シフトレジスタ６１１と電圧指示信号生成回路６１３とセレクタ群６１５とを有する。このうちシフトレジスタ６１１は、各垂直走査期間の最初に供給されるスタートパルスＤＹをシフトクロック信号ＹＣＫによって順次にシフトして出力する回路であり、合計（ｍb＋Ｎ＋ｍa）段の単位回路Ｕ（Ｕa、ＵbおよびＵc）を配列した構成となっている（Ｎは自然数）。このうち第１段目から第ｍb段目までの合計ｍb段の単位回路Ｕbは、図７に示されるように、第２表示部Ｄ2の各走査線３０２を選択するための転送信号ＹＳＢ1ないしＹＳＢmbを出力する。また、第（ｍb＋Ｎ＋1）段目から第（ｍb＋Ｎ＋ｍa）段までの合計ｍa段の単位回路Ｕaは、図７に示されるように、第１表示部Ｄ1の各走査線３０１を選択するための転送信号ＹＳＡ1ないしＹＳＡmaを出力する。転送信号ＹＳＢ1ないしＹＳＢmbおよび転送信号ＹＳＡ1ないしＹＳＡmaの何れかがＨレベルになると、これに対応した走査線３０を選択すべき水平走査期間であることが示される。
【００３６】
一方、図８に示される第（ｍb＋１）段目から第（ｍb＋Ｎ）段目までの合計Ｎ段の単位回路Ｕcは、第１選択期間Ｔaと第２選択期間Ｔbとの間に非選択期間Ｔcを確保するための遅延素子として機能する。つまり、図７に示されるように、転送信号ＹＳＡ1が立ち上がるタイミング（つまり第１選択期間Ｔaの始点）は、転送信号ＹＳＢmbの立ち下がりのタイミング（つまり第２選択期間Ｔbの終点）から段数Ｎに応じた時間だけ遅延したタイミングとなる。したがって、単位回路Ｕcの段数Ｎは、非選択期間Ｔcの時間長が、配線５７１および配線５７４の電圧の変化に要する時間長Ｄよりも長くなるように選定される。第２選択期間Ｔbの終点からその直後の第１選択期間Ｔaの始点までの非選択期間Ｔcが単位回路Ｕcによって確保されることは以上に説明した通りであるが、第１選択期間Ｔaの終点からその直後の第２選択期間Ｔbの始点までの非選択期間Ｔcは、第１選択期間Ｔaの終点から遅延したタイミングにてスタートパルスＤＹが供給されることによって確保される。なお、以下では、転送信号ＹＳＢ1ないしＹＳＢmbおよび転送信号ＹＳＡ1ないしＹＳＡmaの何れかを「転送信号ＹＳi」と一般化して表記する（ｉは１≦ｉ≦（ｍa＋ｍb）を満たす自然数）。
【００３７】
次に、電圧指示信号生成回路６１３は、転送信号ＹＳi、極性指示信号ＰＯＬおよび制御信号ＩＮＨに基づいて、各走査線３０に印加されるべき電圧を指定する電圧指示信号を生成する。セレクタ群６１５は、走査線３０の総本数に相当する合計（ｍa＋ｍb）個のセレクタＳを含む。各セレクタＳの出力端子は何れかの走査線３０に接続される。各セレクタＳは、配線５７１ないし配線５７４を介して電圧制御回路８から供給される電圧（ＶＳＰ、ＶＨＰ、ＶＨＮおよびＶＳＰ）の何れかを電圧指示信号に応じて選択して走査信号ＹＢ1ないしＹＢmbおよび走査信号ＹＡ1ないしＹＡmaとして各走査線３０に出力する。電圧指示信号生成回路６１３およびセレクタ群６１５の具体的な動作は以下の通りである。
【００３８】
まず、転送信号ＹＳiがＨレベルに遷移して何れかの走査線３０を選択すべき水平走査期間であることが示され、さらに制御信号ＩＮＨがＨレベルに遷移して当該水平走査期間の後半期間であることが示されると、電圧指示信号生成回路６１３は、走査信号Ｙi（ＹＢ1ないしＹＢmbおよびＹＡ1ないしＹＡmaの何れか）の電圧レベルが、この後半期間において極性指示信号ＰＯＬの信号レベルに対応した極性の選択電圧ＶＳとなり、その後半期間の経過後に当該選択電圧に対応した極性の非選択電圧となるように、電圧指示信号を生成する。さらに詳述すると、電圧指示信号生成回路６１３は、制御信号ＩＮＨがＨレベルとなる期間（後半期間）において、極性指示信号ＰＯＬがＨレベルであれば正極性選択電圧ＶＳＰを指定する電圧指示信号を出力し、この後半期間が経過して制御信号ＩＮＨがＬレベルに遷移すると、正極性非選択電圧ＶＨＰを指定する電圧指示信号を出力する。一方、電圧指示信号生成回路６１３は、制御信号ＩＮＨがＨレベルとなる期間において、極性指示信号ＰＯＬがＬレベルであれば負極性選択電圧ＶＳＮを指定する電圧指示信号を出力し、この後半期間が経過して制御信号ＩＮＨがＬレベルに遷移すると、負極性非選択電圧ＶＨＮを指定する電圧指示信号を出力する。こうして生成される電圧指示信号に応じて各セレクタＳが電圧を選択することにより、各走査信号Ｙiは以下に示す波形となる。
【００３９】
まず、第２表示部Ｄ2の各走査線３０２が選択される第２選択期間Ｔbにおいて、走査信号ＹＢi（ここでの「ｉ」は１からｍbまでの自然数）は、極性指示信号ＰＯＬがＨレベルとなる第ｉ番目の水平走査期間の後半期間において正極性選択電圧ＶＳＰとされ、その後に正極性非選択電圧ＶＨＰに維持される。第２選択期間Ｔbにおいて配線５７１は電圧Ｖp-bの出力端子に接続されているから、図７に示されるように、ここで走査線３０２に印加される正極性選択電圧ＶＳＰの電圧値は「Ｖp-b」となる。続く第（ｉ＋１）番目の水平走査期間においては極性指示信号ＰＯＬがＬレベルとなるから、走査信号ＹＢi+1は、その水平走査期間の後半期間において負極性選択電圧ＶＳＮとされ、その後に負極性非選択電圧ＶＨＮに維持される。図７に示されるように、このときに走査線３０２に印加される負極性選択電圧ＶＳＮの電圧値は「Ｖn-b」である。一方、第２表示部Ｄ2の第ｉ行目の走査線３０２が次に選択される水平走査期間においては、極性指示信号ＰＯＬのレベルが前回の選択とは反転したＬレベルとなるので、当該走査線３０２への走査信号Ｙiは負極性選択電圧ＶＳＮ（電圧値Ｖn-b）とされ、その後に負極性非選択電圧ＶＨＮに維持される。
【００４０】
一方、第１表示部Ｄ1の各走査線３０１が選択される第１選択期間Ｔaにおいても同様に、走査信号ＹＡi（ここでの「ｉ」は（ｍb＋１）から（ｍb＋ｍa）までの自然数）は、極性指示信号ＰＯＬがＨレベルとなる水平走査期間の後半期間において正極性選択電圧ＶＳＰとされ、その後に正極性非選択電圧ＶＨＰに維持される。ただし、この第１選択期間Ｔaにおいて配線５７１は電圧Ｖp-aの出力端子に接続されているから、ここで走査線３０１に印加される正極性選択電圧ＶＳＰの電圧値は「Ｖp-a」となる。第（ｉ＋１）番目の水平走査期間において負極性選択電圧ＶＳＮ（電圧Ｖn-a）が選択される点や、第ｉ行目の走査線３０１が次に選択される水平走査期間において負極性選択電圧ＶＳＮ（電圧Ｖn-a）が印加される点は第２選択期間Ｔbと同様である。
【００４１】
以上のように、本実施形態においては、第１表示部Ｄ1の走査線３０１が選択される第１選択期間Ｔaにおいては電圧Ｖp-aおよび電圧Ｖn-aが、第２表示部Ｄ2の走査線３０２が選択される第２選択期間Ｔbにおいては電圧Ｖp-bおよび電圧Ｖn-bが、それぞれ正極性選択電圧ＶＳＰおよび負極性選択電圧ＶＳＮとして走査線駆動回路６１に出力される。この構成によれば、図３に示されるように、第１表示部Ｄ1と第２表示部Ｄ2とで電圧制御回路８を共用することができるから、第１表示部Ｄ1に適した選択電圧を生成する回路と第２表示部Ｄ2に適した選択電圧を生成する回路とを別個に配設した構成と比較して、部品点数の減少による製造コストの低減や電気光学装置Ｄの構成の簡素化が図られる。
【００４２】
＜Ｃ：変形例＞
上記実施形態に対しては種々の変形が加えられる。具体的な変形の態様を例示すれば以下の通りである。以下の各態様を適宜に組み合わせてもよい。
【００４３】
（１）上記実施形態においては、電圧生成回路８１によって電圧Ｖp-aおよび電圧Ｖn-aと電圧Ｖp-bおよび電圧Ｖn-bとを予め生成し、これらの電圧を切替回路８３によって選択的に走査線駆動回路６１に出力する構成を例示したが、電圧制御回路８の構成はこれに限られない。すなわち、第１選択期間Ｔaおよび第２選択期間Ｔbの各々において別個の電圧が走査線駆動回路６１に出力される構成であれば足りる。本発明における電圧制御回路の他の態様を例示すれば以下の通りである。
【００４４】
図９は、他の態様に係る電圧制御回路の構成を示すブロック図である。同図に示される電圧制御回路８ａは、正極性選択電圧ＶＳＰおよび負極性選択電圧ＶＳＮを調整する調整回路８５を備える。各調整回路８５は、外部からの指示に応じた電圧を正極性選択電圧ＶＳＰおよび負極性選択電圧ＶＳＮとして生成する手段（例えば電子ボリューム）である。また、電圧制御回路８ａの出力端子から延在する配線５７１および配線５７２の各々にはコンデンサ８６の一端が接続されている。これらのコンデンサ８６は、各調整回路８５によって生成された電圧を保持するための容量素子である。なお、図９においては、正極性非選択電圧ＶＨＰが印加される配線５７２や負極性非選択電圧ＶＨＮが印加される配線５７３は図示が省略されているが、実際には上記実施形態と同様に、正極性非選択電圧ＶＨＰや負極性非選択電圧ＶＨＮも電圧制御回路８ａによって生成されて走査線駆動回路６１に出力される。
【００４５】
一方、制御回路７は、正極性選択電圧ＶＳＰの電圧値と負極性選択電圧ＶＳＮの電圧値とを電圧制御回路８ａに指示する。図１０は、正極性選択電圧ＶＳＰの波形を示すタイミングチャートである。同図に示されるように、制御回路７は、第２選択期間Ｔbの直前の非選択期間Ｔcの始点において、電圧値Ｖp-bを正極性選択電圧ＶＳＰとして指定するとともに電圧値Ｖn-bを負極性選択電圧ＶＳＮとして指定する一方、第１選択期間Ｔaの直前の非選択期間Ｔcの始点において、電圧値Ｖp-aを正極性選択電圧ＶＳＰとして指定するとともに電圧値Ｖn-aを負極性選択電圧ＶＳＮとして指定する。この構成においても、図１０に示されるように、電圧制御回路８ａから配線５７１に印加される正極性選択電圧ＶＳＰは、第１選択期間Ｔaにおいて電圧Ｖp-aに調整されるとともに第２選択期間Ｔbにおいて電圧Ｖp-bに調整される。同様に、配線５７４に印加される負極性選択電圧ＶＳＮは、第１選択期間Ｔaにおいて電圧Ｖn-aに調整されるとともに第２選択期間Ｔbにおいて電圧Ｖn-bに調整される。したがって、図９の構成においても上記実施形態と同様の効果が得られる。
【００４６】
ところで、図９に示した構成においては、コンデンサ８６によって保持されて配線５７１に印加される正極性選択電圧ＶＳＰが、電圧Ｖp-aから電圧Ｖp-bへの切り替えや電荷のリークに起因して、図１０に破線で示されるように減衰する場合がある。このような場合には、第２選択期間Ｔbにて走査線３０２に印加される電圧が所期の電圧Ｖp-bに維持されないから、第２表示部Ｄ2による表示品位が損なわれるという問題が生じ得る。なお、ここでは正極性選択電圧ＶＳＰに着目したが、負極性選択電圧ＶＳＮについても同様の問題が生じ得る。このような問題を解消するため、図１１に示されるように、第１選択期間Ｔaに対応するコンデンサ８６ａと第２選択期間Ｔbに対応するコンデンサ８６ｂとを別個に配置してもよい。
【００４７】
図１１に示される構成においては、電圧制御回路８ａが備える各調整回路８５の出力端子から配線５７１に至る経路にスイッチ８７の端子が接続される。このスイッチ８７の第１の端子にはコンデンサ８６ａの一端が接続され、第２の端子にはコンデンサ８６ｂの一端が接続される。スイッチ８７の開閉は、制御回路７から出力される電圧制御信号Ｓvによって制御される。すなわち、スイッチ８７は、電圧制御信号ＳvがＨレベルとなる第１選択期間Ｔaにおいては電圧制御回路８ａの出力端子とコンデンサ８６ａとを導通させる一方、電圧制御信号ＳvがＬレベルとなる第２選択期間Ｔbにおいては電圧制御回路８ａの出力端子とコンデンサ８６ｂとを導通させる。なお、ここでは正極性選択電圧ＶＳＰが印加される配線５７１に着目したが、負極性選択電圧ＶＳＮが印加される配線５７４についても同様の要素が配置されている。また、制御回路７が電圧値を各調整回路８５に指定する動作やそのタイミングは図９に示した構成と同様である。
【００４８】
図１２は、図１１の構成の作用を説明するためのタイミングチャートである。同図に示されるように、コンデンサ８６ｂの一端である地点Ｂの電圧は、電圧制御信号ＳvがＬレベルとなってコンデンサ８６ｂが電圧制御回路８ａの出力端子と導通する期間において電圧Ｖp-bを維持する一方、電圧制御信号ＳvがＨレベルとなってコンデンサ８６ｂが電圧制御回路８ａから電気的に切り離されると電荷のリークによって徐々に低下していく。同様に、コンデンサ８６ａの一端である地点Ａの電圧は、電圧制御信号ＳvがＨレベルとなってコンデンサ８６ａが電圧制御回路８ａと導通する期間において電圧Ｖp-aを維持する一方、電圧制御信号ＳvがＬレベルとなってコンデンサ８６ａが電圧制御回路８ａから電気的に切り離されると徐々に低下していく。この構成において、配線５７１に印加される正極性選択電圧ＶＳＰは、第１選択期間Ｔaにおいては地点Ａと同じ電圧Ｖp-aとなり、第２選択期間Ｔbにおいては地点Ｂと同じ電圧Ｖp-bとなる。すなわち、正極性選択電圧ＶＳＰは、第１選択期間Ｔaおよび第２選択期間Ｔbの何れにおいても一定の電圧に維持される。なお、ここでは正極性選択電圧ＶＳＰに着目したが、負極性選択電圧ＶＳＮについても同様であり、第１選択期間Ｔaにおいては電圧Ｖn-aに維持されるとともに第２選択期間Ｔbにおいては電圧Ｖn-bに維持される。このように、図１１に示した構成によれば、図９に示した構成と比較して、各選択期間における選択電圧ＶＳの変動に起因した表示品位の低下を抑制することができるという利点がある。
【００４９】
（２）上記実施形態においては、走査線駆動回路６１およびデータ線駆動回路６３がひとつのＩＣチップに搭載された構成を例示したが、これらの各回路が別個のＩＣチップに搭載された構成も採用される。さらに、走査線駆動回路６１やデータ線駆動回路６３が各表示部の基板上に実装されている必要は必ずしもなく、例えばＦＰＣ４５やＦＰＣ４７に実装された構成としてもよい。また、電圧制御回路８や制御回路７が駆動回路６とともにひとつのＩＣチップに搭載された構成としてもよい。このように、本発明における各回路の実装の態様（各回路とＩＣチップとの関係や各回路が実装される位置）は任意である。また、上記実施形態においては、第１表示部Ｄ1と第２表示部Ｄ2とがひとつの走査線駆動回路６１によって駆動される構成（すなわちひとつの走査線駆動回路６１が第１表示部Ｄ1と第２表示部Ｄ2とで共用される構成）を例示したが、第１表示部Ｄ1と第２表示部Ｄ2とで別個の走査線駆動回路６１が配設された構成としてもよい。
【００５０】
（３）上記実施形態においては、２つの表示部（第１表示部Ｄ1および第２表示部Ｄ2）を備えた電気光学装置Ｄを例示したが、電圧制御回路８を共用する表示部の個数は任意である。例えば、３個以上の表示部によってひとつの電圧制御回路８を兼用する構成としてもよい。この構成においては、各表示部の選択電圧として最適な電圧を時分割的に電圧制御回路８にて生成する構成とすればよい。また、上記実施形態においては、第１表示部Ｄ1と第２表示部Ｄ2とがＦＰＣ４７を介して接続される構成を例示したが、各表示部の構成上の関係は任意に変更される。例えば、ひとつの基板の表面のうち異なる位置に第１基板１１と第１基板１２とを貼り合わせることによって第１表示部Ｄ1と第２表示部Ｄ2を構成してもよい（すなわち第１表示部Ｄ1と第２表示部Ｄ2とで基板を共用する構成としてもよい）。
【００５１】
（４）上記実施形態においては、第１選択期間Ｔaと第２選択期間Ｔbとの間に非選択期間Ｔcを設けた構成を例示したが、配線５７１や配線５７４における電圧の経時的な変化が問題とならければ（例えば、電圧が直ちに変化する構成や、電圧の変動による表示画像への影響が無視できるほど小さい構成）においては、非選択期間Ｔcを設けずに第１選択期間Ｔaと第２選択期間Ｔbとを連続させてもよい。
【００５２】
（５）上記実施形態においては、ＴＦＤ素子３６を用いたアクティブマトリクス方式の電気光学装置Ｄを例示したが、スイッチング素子を持たないパッシブマトリクス方式の電気光学装置にも本発明は同様に適用される。また、三端子型のスイッチング素子であるＴＦＴ（Thin Film Transistor）素子を用いたアクティブマトリクス方式の電気光学装置にも本発明は適用される。例えば、各画素のＴＦＴ素子のゲートに印加される走査信号の電圧値を各表示部について時分割的に変化させる構成が採用される。
【００５３】
（６）上記実施形態においては、電気光学物質として液晶を用いた構成を例示したが、有機EL（Electro Luminescent）などのＯＬＥＤ（Organic Light Emitting Diode）素子を電気光学物質として用いた電気光学装置や、あるいはネオンやキセノンなどの不活性ガスを電気光学物質として用いたプラズマディスプレイパネルなど各種の電気光学装置にも本発明は適用される。なお、電気光学物質として液晶を用いた電気光学装置Ｄにおいては、直流成分の印加による液晶の劣化を防止するために走査信号の極性を反転させる構成（いわゆる交流駆動）が必要となるが、ＯＬＥＤ素子などの電気光学物質を用いた電気光学装置においては極性の反転が不要である。したがって、この種の構成においては、走査信号として採択されるひとつの選択電圧のみを第１表示部に適した電圧と第２表示部に適した電圧とで時分割的に切り替える構成とすればよい。すなわち、本発明において、互いに極性が異なる２種類の選択電圧（実施形態にて例示した正極性選択電圧ＶＳＰおよび負極性選択電圧ＶＳＮ）を生成する構成は必ずしも必要ではない。
【００５４】
（７）上記実施形態においては、本発明に係る電子機器のひとつの形態として携帯電話機を例示したが、その他の電子機器にも本発明の電気光学装置は採用される。例えば、ノート型のパーソナルコンピュータや、液晶テレビ、ビューファインダ型（またはモニタ直視型）のビデオレコーダ、デジタルカメラ、カーナビゲーション装置、ページャ、電子手帳、電卓、ワードプロセッサ、ワークステーション、テレビ電話、ＰＯＳ端末、タッチパネルを備えた機器等など種々の電子機器の表示装置として、本発明に係る電気光学装置が採用される。
【図面の簡単な説明】
【００５５】
【図１】本発明の実施形態に係る電気光学装置を採用した携帯電話機の外観を示す斜視図である。
【図２】携帯電話機が閉状態にあるときの外観を示す斜視図である。
【図３】電気光学装置の電気的な構成を示すブロック図である。
【図４】電気光学装置の構成を示す平面図である。
【図５】図４におけるＶ−Ｖ線からみた断面図である。
【図６】第１表示部を部分的に拡大して示す斜視図である。
【図７】電気光学装置の動作（特に垂直走査）を説明するためのタイミングチャートである。
【図８】走査線駆動回路の構成を示すブロック図である。
【図９】他の態様に係る電圧制御回路の構成を示すブロック図である。
【図１０】同態様における正極性選択電圧の波形を示すタイミングチャートである。
【図１１】さらに他の態様に係る電圧制御回路の構成を示すブロック図である。
【図１２】同態様における正極性選択電圧の波形を示すタイミングチャートである。
【符号の説明】
【００５６】
Ｄ……電気光学装置、Ｐ……画素、Ｄ1……第１表示部、Ｄ2……第２表示部、１１，１２……第１基板、２１，２２……第２基板、３０１，３０２……走査線、３２１，３２２……データ線、３４１，３４２……画素電極、４０１，４０２……液晶、４２１，４２２……シール材、４５，４７……ＦＰＣ、６……駆動回路、６１……走査線駆動回路、６３……データ線駆動回路、６１１……シフトレジスタ、６１３……電圧指示信号生成回路、６１５……セレクタ群、７……制御回路、８……電圧制御回路、８１……電圧生成回路、８３……切替回路、１００……電子機器、Ａ1，Ａ2，Ａ3……張出部、ＹＳＡ1〜ＹＳＡma，ＹＳＢ1〜ＹＳＢmb……転送信号、ＹＡ1〜ＹＡma，ＹＢ1〜ＹＢmb……走査信号、Ｓv……電圧制御信号、Ｔa……第１選択期間、Ｔb……第２選択期間、Ｔc……非選択期間、ＶＳＰ……正極性選択電圧、ＶＳＮ……負極性選択電圧、ＶＨＰ……正極性非選択電圧、ＶＨＮ……負極性非選択電圧、Ｖp-a……第１選択期間にて正極性選択電圧とされる電圧、Ｖp-b……第２選択期間にて正極性選択電圧とされる電圧、Ｖn-a……第１選択期間にて負極性選択電圧とされる電圧、Ｖn-b……第２選択期間にて負極性選択電圧とされる電圧。
【図１】
2006098812.tif 000003
【図２】
2006098812.tif 000004
【図３】
2006098812.tif 000005
【図４】
2006098812.tif 000006
【図５】
2006098812.tif 000007
【図６】
2006098812.tif 000008
【図７】
2006098812.tif 000009
【図８】
2006098812.tif 000010
【図９】
2006098812.tif 000011
【図１０】
2006098812.tif 000012
【図１１】
2006098812.tif 000013
【図１２】
2006098812.tif 000014